(57)【要約】【課題】リール本体の側板間にスプールを補助的に巻回操作する補助操作部材を回動可能に設けると共に、補助操作部材の可視可能な範囲に傷を露出させることのない魚釣用リールを提供する。【解決手段】本発明の魚釣用リールは、指当てが可能な支持部材１５と、支持部材１５の後方側の側板間に、基部４０ａを中心として回動可能に支持されると共に、釣糸繰り出し側の前方側に回動付勢され、支持部材１５より上方に突出するように基部４０ａに突出形成された操作部４０ｂを具備する補助操作部材４０とを有し、補助操作部材４０の後方側の回動操作で釣糸をスプールに補助的に巻回可能に構成される。そして、基部４０ａに、付勢回動方向の下面となる位置に係止面４０ｄを形成し、この係止面４０ｄを規制部１５ａに当接することで補助操作部材４０を非作動状態の静止位置に規制保持したことを特徴とする。【選択図】図４
2008237026.tif 000002
【特許請求の範囲】
【請求項１】
リール本体の側板間に配設され、指当てが可能な支持部材と、
前記支持部材の後方側の側板間に、基部を中心として回動可能に支持されると共に、釣糸繰り出し側の前方側に回動付勢され、前記支持部材より上方に突出するように前記基部に突出形成された操作部を具備する補助操作部材と、
を有し、
前記補助操作部材の後方側の回動操作で釣糸をスプールに補助的に巻回可能にした魚釣用リールにおいて、
前記基部に、付勢回動方向の下面となる位置に係止面を形成し、前記係止面を規制部に当接することで前記補助操作部材を非作動状態の静止位置に規制保持したことを特徴とする魚釣用リール。
【発明の詳細な説明】
【技術分野】
【０００１】
本発明は、リール本体の側板間に回転自在に支持したスプールを、リール本体の一側に設けたハンドルの操作で回転可能とした魚釣用リールに関する。
【背景技術】
【０００２】
従来、釣法の一つとして、ルアーと称される疑似餌にアクションを与えて魚を釣るルアーフィッシングが知られており、特許文献１には、上記したルアーフィッシングに適した魚釣用リールが開示されている。この魚釣用リールは、ロッドやリールの操作によってルアーを止めたり、動かしたりする等のアクションを与える巻取り誘導操作や糸ふけが生じないように、スプールに釣糸を補助的に巻回する補助操作部材を備えている。
【０００３】
前記補助操作部材は、レバー形状を成して、リール本体の釣竿を保持した手の指で操作可能な位置、すなわち、リール本体の側板間に設けた指当て部材（サムレストとも称される）の後端縁部に沿って基部を回動可能に支持されている。補助操作部材の操作部は、斜め後方に突出するように延設しており、釣竿を保持した手の指の腹部を操作部の上面に押し当てた状態を維持しながら、後方へ押圧回動操作することで、スプールを補助的に駆動回転するようになっている。
【特許文献１】特開２００４−２４８６２６号
【発明の開示】
【発明が解決しようとする課題】
【０００４】
上記した補助操作部材は、バネ部材で前方側（釣糸繰り出し側）に付勢されており、指当て部材の後端縁に度当てされて起立状態が保持されている。このため、補助操作部材を後方側に回動操作後、元の起立静止状態に復元されると、バネ部材の付勢力で勢い良く、補助操作部材の基部外面が指当て部材の後端縁部に当接される。そして、この操作が実釣時に繰り返されると、小さい打痕程度から次第に傷となって現れてくることが有り得る。
【０００５】
従って、指当て部材の上面に釣竿を保持した手の親指の腹部を押し当てながら、この親指の腹部で補助操作部材を後方に回動操作する際に、親指の腹部が補助操作部材の基部外面にも接触することが有り、押圧操作に支障が生じる可能性がある。また、可視可能な範囲に傷が露出するため、外観に劣り、所有者に不快感を与える可能性がある。
【０００６】
本発明は、上記した問題に基づいてなされたものであり、リール本体の側板間にスプールを補助的に巻回操作する補助操作部材を回動可能に設けた魚釣用リールにおいて、前記補助操作部材の可視可能な範囲に傷を露出させることのない魚釣用リールを提供することを目的とする。
【課題を解決するための手段】
【０００７】
上記した目的を達成するために、本発明に係る魚釣用リールは、リール本体の側板間に配設され、指当てが可能な支持部材と、前記支持部材の後方側の側板間に、基部を中心として回動可能に支持されると共に、釣糸繰り出し側の前方側に回動付勢され、前記支持部材より上方に突出するように前記基部に突出形成された操作部を具備する補助操作部材とを有し、前記補助操作部材の後方側の回動操作で釣糸をスプールに補助的に巻回可能にした構成において、前記基部に、付勢回動方向の下面となる位置に係止面を形成し、前記係止面を規制部に当接することで前記補助操作部材を非作動状態の静止位置に規制保持したことを特徴とする。
【０００８】
上記した構成の魚釣用リールによれば、指当てが可能な支持部材の後方側に基部を中心として回動可能に支持された補助操作部材の操作部を後方側に押し付け操作することで、スプールに釣糸を補助的に巻回することができる。そして、補助操作部材は、釣糸繰り出し側となる前方側に回動付勢されているため、押し付け操作する毎に、その回動付勢力によって非作動状態の静止位置に復帰される。この際、基部に、付勢回動方向の下面となる位置に係止面を形成し、これを規制部に当接するようにしているため、両者の当接部分は、操作部を押し付けても、操作者からは視認できない位置にすることが可能となる。
【発明の効果】
【０００９】
本発明によれば、リール本体の側板間にスプールを補助的に巻回操作する補助操作部材を回動可能に設けた魚釣用リールにおいて、前記補助操作部材の可視可能な範囲に傷を露出させることのない構成とすることが可能になる。
【発明を実施するための最良の形態】
【００１０】
以下、本発明に係る魚釣用リールの実施形態について、添付図面を参照して具体的に説明する。
図１〜図５は、本発明に係る魚釣用リールの一実施形態を示す図であり、図１は平面図、図２は補助操作部材の支持部の構成を示す部分断面平面図、図３は側板を外してハンドル側から見た側面図、図４は図１のＡ−Ａ線に沿った断面図、そして、図５は、図４の主要部の拡大図である。
【００１１】
本実施形態の魚釣用リールのリール本体１は、左右フレーム２ａ，２ｂと、各フレームに対し、所定の空間をもって装着される左右側板３ａ，３ｂとを備えており、一方の側板側（本実施形態では右側板３ｂ側）には、ハンドル５を装着したハンドル軸６が回転可能に支持されている。
【００１２】
左右側板３ａ，３ｂ間には、釣糸が巻回されるスプール７が取り付けられたスプール軸８が回転可能に支持されており、スプール７は、前記ハンドル軸６に取り付けられている駆動歯車１０及びスプール軸８に継脱可能に支持されているピニオン１２を具備した巻取り駆動機構１３を介して、ハンドル５の回転操作によって回転駆動されるように構成されている。また、左右側板３ａ，３ｂ間には、スプール軸８よりも前方側で、かつ上方側に、リール本体を握り込んだ際、親指が載置できるように支持部材（指当て部材；サムレストとも称する）１５が配置されている。
【００１３】
前記ハンドル軸６には、スプール７に対する制動力を調節する公知のドラグ機構を操作するための回転体１６（ドラグ調節体）が設けられており、この回転体１６を回転操作することにより、釣糸繰り出し時のスプール回転に所望の制動力が付与されるようになっている。また、前記ピニオン１２には、公知のクラッチ機構１７が係合しており、スプール後方のクラッチレバー１８を押し下げることでスプール軸との継合を解除してクラッチＯＦＦ（スプールフリー状態）とし、ハンドル５を巻取り操作することで、クラッチＯＦＦからクラッチＯＮ（スプール回転状態）に自動復帰できるようになっている。
【００１４】
前記巻取り駆動機構１３には、歯車伝達機構２０が連結されており、後述する補助操作部材を操作することで、歯車伝達機構２０を介してスプールを補助的に巻取り操作できるように構成されている。本実施形態における歯車伝達機構２０は、前記駆動歯車１０と隣接するようにハンドル軸６に取り付けられた歯車２１と、この歯車２１に噛合すると共にスプール７に釣糸を平行に巻回するよう左右に往復動する公知のレベルワインド装置３０を構成する駆動軸３１の端部に取り付けられた歯車２２と、右フレーム２ｂに一体回転可能に併設支持された歯車２３，２４とを備えている。なお、前記歯車２２は、併設された歯車の内、ハンドル側の歯車２３に噛合している。
【００１５】
前記左右側板３ａ，３ｂ間には、前記支持部材１５の後方側に補助操作部材４０が回動可能に支持されている。この補助操作部材４０は、左右フレーム２ａ，２ｂ間に、軸受を介して回転可能に支持された駆動軸４１を囲繞するように配設される基部４０ａと、この基部４０ａから軸方向に亘って径方向に突出する操作部４０ｂとを備えており、操作部４０ｂは、前記支持部材１５より上方に突出するように基部４０ａに一体形成されている。なお、補助操作部材４０は、その基部４０ａにピン４２を嵌め込むことで前記駆動軸４１に固定されている。
【００１６】
また、前記補助操作部材４０の基部４０ａには、左フレーム２ａとの間で付勢バネ４３が設けられており、操作部４０ｂは、常時、釣糸繰り出し側である前方側に回動する方向に付勢されている。この場合、操作部４０ｂは、非作動状態である静止位置において、基部４０ａに対して後方側で斜め上方に向けて突出するように配置、構成しておくことが好ましい。また、その操作部４０ｂの中央部分には、貫通孔４０ｃが形成されており、釣場の移動時など、仕掛けを引っ掛けることができ、魚釣用リールとしての操作性の向上を図っている。
【００１７】
そして、図４及び図５に示すように、前記基部４０ａには、付勢回動方向の下面となる位置に略水平状の係止面４０ｄが形成されている。本実施形態では、この係止面４０ｄは、基部４０ａの回動中心（駆動軸４１の軸心Ｘ）よりも下方位置に略水平状となるように形成されている。一方、支持部材１５の下面側には、前記回動中心Ｘよりも下方位置に、スプール側に向けて水平状に突出する規制部１５ａが形成されている。前記係止面４０ｄは、補助操作部材４０の非作動状態において、前記回動軸心Ｘよりも下方位置で規制部１５ａに当接するようにしており（度当て状態となる）、補助操作部材４０の前記付勢バネ４３による前方側への回動を規制している。
【００１８】
前記駆動軸４１は、右フレーム２ｂからハンドル側に突出しており、その突出端には、前記歯車２４と噛合する歯車４５が取り付けられている。そして、この歯車４５と前記駆動軸４１との間には、一方向クラッチ５０が介在されている。一方向クラッチ５０は、右側板側に設けられた一方向クラッチ収容部５１内に収容されており、歯車４５に嵌合される外輪と、複数のコロ及びこれを保持する保持器とを備えている。公知のように、各コロは、保持器との間に介在されたバネ部材の付勢力によって、前記外輪の楔領域に付勢されている。
【００１９】
このような構成の一方向クラッチ５０によれば、補助操作部材４０の操作部４０ｂを付勢バネ４３の付勢力に抗して後方に回動（倒伏）操作すると、各コロが楔領域に押し付けられて、その回転は、そのまま歯車４５に伝達される。そして、この歯車４５の回転は、上記した歯車伝達機構２０を介して巻取り駆動機構１３の駆動歯車１０に伝達され、ハンドル５を釣糸巻取り方向に回転させる（釣糸をスプールに補助的に巻回する）。一方、ハンドル５を釣糸巻取り方向に回転操作すると、その回転は、歯車伝達機構２０を介して歯車４５に伝達されるものの、歯車４５が反時計回りに回転しても、各コロはフリー回転領域に移動することから、その回転が駆動軸４１（補助操作部材４０）に伝達されることはない。
【００２０】
上記のように構成された補助操作部材４０を設けたことにより、クラッチ機構１７をスプールフリー状態に切換えてキャスティング操作を行った後、ルアーアクションを行うに際して、釣竿と共にリール本体の反ハンドル側の側板３ａを握持保持している手の指Ｈ（親指）で操作部４０ｂを付勢バネ４３の付勢力に抗して回動操作（倒伏操作）することが可能となる（図６及び図７参照）。このような回動操作を行うことで、前記一方向クラッチ５０を介して、その回動力がハンドル軸６に伝達されることから、クラッチ機構１７がスプールフリー状態から巻取り状態に切換えられると共に、そのまま連続してスプール７の微妙な巻取り操作（巻取り補助操作）が行えるようになる。
【００２１】
そして、上記した構成においては、補助操作部材４０は、付勢バネ４３の付勢力によって、釣糸繰り出し側となる前方側に回動付勢されているため、押し付け操作する毎に、図６に示すように、その回動付勢力によって非作動状態の静止位置に復帰される。この際、付勢回動方向の下面となる位置に係止面４０ｄを形成しておき、これを支持部材１５の下方に形成された規制部１５ａに当接するようにして、基部４０ａ前方の支持部材１５との間に隙間Ｓを形成しているため、両者の当接部分は、操作部４０ｂを後方に向けて押し付けても、操作者からは視認できない位置にすることが可能となる。すなわち、補助操作部材４０の付勢回動方向の下面となる位置に、補助操作部材の回動を規制する当接部分（度当て部分）を設置したことによって、補助操作部材４０を後方に向けて押し付けても、その当接部分を操作者に露出させないようにすることができる。
【００２２】
特に、本実施形態では、補助操作部材４０の基部４０ａに、その回動中心Ｘより下側となる位置に係止面４０ｄを形成しておき、かつ軸方向に沿った方向で回動中心Ｘより下側で係止面４０ｄを支持部材１５の規制部１５ａに当接させるようにしているため、その当接部分を、外部に全く露出させないようにすることが可能となる。
【００２３】
この結果、図６、図７に示すように、補助操作部材の親指の腹部による操作領域に、打痕、傷等の発生が全く無くなるので、円滑な押圧回動操作が可能になると共に、可視可能な範囲に傷が露出することもないので、外観が低下するようなことはなく、所有者に不快感を与えることもない。
【００２４】
上記した係止面４０ｄ、及び規制部１５ａについては、補助操作部材４０が回動された際、操作者から視認できない位置に設置されていれば良く、例えば、図８〜図１０に示すように構成することが可能である。
【００２５】
この変形例では、図８に示すように、一方の側板（右側板）側から、前記支持部材１５の後方側下方において、軸方向に延出する側板をフレームに取り付けるためのセットスクリュウ（規制部）６０を水平方向に圧入し、左フレーム２ａ側で螺入させている。前記補助操作部材４０の基部４０ａには、上記した実施形態と同様、付勢回動方向の下面となる位置で、かつ、回動中心Ｘよりも下方側に係止面４０ｄが形成されており、図９及び図１０に示すように、係止面４０ｄをセットスクリュウ６０に当接させて位置規制し、前記同様、基部４０ａの前方の支持部材１５との間には隙間Ｓが形成されている。
【００２６】
このように、補助操作部材４０が押し込み操作された際、露出する部分に度当てとなる係止面が形成されていなければ良く、係止面の設置方法、及び、それが当接する規制部の形成位置等に関しては適宜変形することが可能である。また、係止面４０ｄについては、面当たりする以外にも、線又は点当たりによって規制部に当接するような構成であっても良い。
【図面の簡単な説明】
【００２７】
【図１】本発明に係る魚釣用リールの一実施形態を示す平面図。
【図２】補助操作部材の支持部の構成を示す部分断面平面図。
【図３】側板を外してハンドル側から見た側面図。
【図４】図１のＡ−Ａ線に沿った断面図。
【図５】図４の主要部の拡大図。
【図６】補助操作部材の操作前の状態を示す図。
【図７】補助操作部材の操作中の状態を示す図。
【図８】上記した実施形態の変形例を示す魚釣用リールの平面図。
【図９】図８のＢ−Ｂ線に沿った断面図。
【図１０】図９の主要部の拡大図。
【符号の説明】
【００２８】
１  リール本体
３ａ，３ｂ  側板
５  ハンドル
７  スプール
１５  支持部材（指当て部材）
１５ａ  規制部
４０  補助操作部材
４０ａ  基部
４０ｂ  操作部
４０ｄ  係止面
４１  駆動軸
５０  一方向クラッチ
６０  セットスクリュウ
【図１】
2008237026.tif 000003
【図２】
2008237026.tif 000004
【図３】
2008237026.tif 000005
【図４】
2008237026.tif 000006
【図５】
2008237026.tif 000007
【図６】
2008237026.tif 000008
【図７】
2008237026.tif 000009
【図８】
2008237026.tif 000010
【図９】
2008237026.tif 000011
【図１０】
2008237026.tif 000012